(57)【要約】【課題】ユーザによって指定された通信相手を特定する情報に基づいて、最適な接続先の通信ネットワークと通信相手を特定する通信先特定情報とを選択して通信を行う通信端末装置を提供する。【解決手段】接続可能な通信ネットワークを識別する情報とこの通信ネットワークを介して通信可能な通信相手を特定する通信先特定情報とを含むネットワーク識別情報を記憶するネットワーク情報記憶部１１０と、ネットワーク識別情報に基づいて、接続可能な１の通信ネットワークを特定するとともに、この特定した通信ネットワークに対応する通信先特定情報を選択する通信制御部１２０と、特定された通信ネットワークに接続し、かつ、選択された通信先特定情報によって特定される通信相手との通信を行う送受信部１３０とを設けた。【選択図】  図１
2011044852.tif 000002
【特許請求の範囲】
【請求項１】
接続可能な通信ネットワークを識別する情報とこの通信ネットワークを介して通信可能な通信相手を特定する通信先特定情報とを含むネットワーク識別情報を記憶するネットワーク情報記憶部と、
前記ネットワーク識別情報に基づいて、接続可能な１の通信ネットワークを特定するとともに、この特定した通信ネットワークに対応する通信先特定情報を選択する通信制御部と、
この通信制御部によって特定された通信ネットワークに接続し、かつ、選択された通信先特定情報によって特定される通信相手に対して通信要求を送信することで前記通信相手との通信を行う送受信部と
を備えることを特徴とする通信端末装置。
【請求項２】
請求項１に記載の通信端末装置において、
前記送受信部は、無線通信によって前記特定された通信ネットワークと接続し、データの送受信を行うことを特徴とする通信端末装置。
【請求項３】
接続可能な通信ネットワークを識別する情報とこの通信ネットワークを介して通信可能な通信相手を特定する通信先特定情報とを含むネットワーク識別情報に基づいて、接続可能な１の通信ネットワークを特定するステップと、
前記ネットワーク識別情報に基づいて、前記選択された通信ネットワークに対応する通信先特定情報を選択するステップと、
前記選択された通信ネットワークに接続し、かつ、選択された通信先特定情報によって特定される通信相手に対して通信要求を送信することで前記通信相手との通信を行うステップと
を有することを特徴とする通信端末装置の制御方法。
【請求項４】
請求項３に記載の通信端末装置の制御方法をコンピュータに実行させるための通信端末装置の制御プログラム。
【発明の詳細な説明】
【技術分野】
【０００１】
本発明は、通信端末装置、通信装置の制御方法およびプログラムに関する。
【背景技術】
【０００２】
近年、移動通信端末装置において、１つの端末装置によって異なる通信ネットワークを介して通信可能な通信端末装置が普及している。例えば、携帯電話網と接続して通信を行う携帯電話機能と、無線ＬＡＮを経由して公衆ネットワークと接続することにより通信を行う通信機能との両方の機能を備えた通信端末装置がある。このような通信端末装置は、携帯電話網を介して通信を行う際に使用する電話番号と無線ＬＡＮ経由による公衆ネットワークを介して通信を行う際に使用する電話番号とを保有しており、どちらかを選択して発信または着信している。
【０００３】
このような複数の通信ネットワークを介して通信が可能な通信端末装置に対して発信する場合、発信元のユーザ（以下、「発側端末」という。）は、発信先のユーザ（以下、「着側端末」という。）が保有する複数の電話番号のうち、いずれか１の電話番号を任意に選択して発信する。
このとき、着側端末が、発側端末によって選択された電話番号に対応する通信ネットワークのサービス可能領域に存在していなければ、発側端末と着側端末との通信は確立しないため、発側端末は、再度別の電話番号で発信し直す必要があった。
【０００４】
また、発側端末が、着側端末に対して異なる電話番号による再発信を自動で実行するような場合でも、再発信を実行するための判断条件は、交換機から着側端末に接続できない旨の通知を受けた後や、発信の後、一定時間経過後に応答がなかった場合であるため、相当な時間を要していた。
さらに、発側端末の自動による再発信動作は、始めに選択した電話番号に対する発信により呼び出し中の呼を解放した後に、別の電話番号を選択し、この電話番号に対して再発信を行うことにより実行されるため、処理負荷が大きかった。
このため、発側端末の自動再発信動作による着側端末との通信を確立させるまでには、相当な時間と処理負荷がかかるといった問題があった。
【０００５】
このような問題に対して、複数種類の通信ネットワーク各々に対応する電話番号を有する通信端末に発信元ユーザが１つの電話番号を任意に選択して発信を行った場合に、適切な通信ネットワークを使用して効率よく発信先へ呼接続する技術（特許文献１）が提案されている。
特許文献１には、発信データに含まれる着信端末（発信先端末）について、この発信先端末が位置しているサービスエリアに対応する通信ネットワークの種類を判定して接続先として使用する通信ネットワークと、この通信ネットワークに対応する電話番号とを選択することにより、効率的な呼接続を実行するといった技術内容が記載されている。
【先行技術文献】
【特許文献】
【０００６】
【特許文献１】特開２００５−２４４４６３号公報
【発明の概要】
【発明が解決しようとする課題】
【０００７】
しかしながら、特許文献１に開示されている技術は、複数の通信ネットワークに対応した電話番号を有しこれらの電話番号を使用可能な通信端末装置に対する着信呼を、適切な電話番号へ変換し、かつ、適切な通信ネットワークを介して着信させるための技術であって、複数の通信ネットワークを介して通信可能な通信端末装置が、発信する際に使用する電話番号や通信ネットワークに関して考慮されていない。
【０００８】
例えば、携帯電話網と接続して公衆ネットワークとの通信を行う携帯電話機能と、無線ＬＡＮを経由してＰＢＸに収容される端末として通信を行う通信機能との両方の機能を備えた通信端末装置が、無線ＬＡＮを経由してＰＢＸを介した通信サービスの可能エリアに存在していたとしても、選択した発信番号によって携帯電話網へ直接接続して公衆ネットワークとの通信を行う場合がある。
すなわち、費用のかからない通信サービス（無線ＬＡＮ経由のＰＢＸを介した通信）を利用できる環境に通信端末が存在している場合でも、ユーザによって選択された発信先の電話番号によっては、費用のかかる通信サービス（携帯電話網を介した公衆ネットワークとの通信）を利用した通信を行ってしまうといった問題がある。
【０００９】
本発明は、上述の問題を解決するためになされたものであり、複数の通信ネットワークを介して通信が可能な通信端末装置において、ユーザによって指定された通信相手を特定する情報に基づいて、最適な接続先の通信ネットワークと通信相手を特定する通信先特定情報とを選択して通信を行う通信端末装置を提供することを目的とする。
【課題を解決するための手段】
【００１０】
上記目的を達成するために、本発明は、接続可能な通信ネットワークを識別する情報とこの通信ネットワークを介して通信可能な通信相手を特定する通信先特定情報とを含むネットワーク識別情報を記憶するネットワーク情報記憶部と、前記ネットワーク識別情報に基づいて、接続可能な１の通信ネットワークを特定するとともに、この特定した通信ネットワークに対応する通信先特定情報を選択する通信制御部と、この通信制御部によって特定された通信ネットワークに接続し、かつ、選択された通信先特定情報によって特定される通信相手に対して通信要求を送信することで前記通信相手との通信を行う送受信部とを設けた。
【発明の効果】
【００１１】
本発明によれば、ネットワーク識別情報に基づいてユーザによって指定された通信相手との通信に適した通信ネットワークを選択するとともに、この選択した通信ネットワークに対応する通信先特定情報を選択することにより、通信端末装置の状況に応じて最適な通信ネットワークと通信先特定情報とを使用した通信を実現することができる。
【図面の簡単な説明】
【００１２】
【図１】本発明の第１の実施の形態にかかる通信端末装置の構成を示すブロック図である。
【図２】第１の実施の形態にかかる通信端末装置の動作を示すフローチャートである。
【図３】本発明の第２の実施の形態にかかる通信端末装置の構成を示すブロック図である。
【図４】第２の実施の形態にかかる通信端末装置を含んだ複数の通信ネットワークを介して通信を行うネットワーク構成の一例を示す図である。
【図５】第２の実施の形態にかかる通信端末装置の動作を示すフローチャートである。
【図６】第２の実施の形態にかかる通信端末装置における発信処理Ａの動作を示すフローチャートである。
【図７】第２の実施の形態にかかる通信端末装置における発信処理Ｂの動作を示すフローチャートである。
【発明を実施するための形態】
【００１３】
以下、図面を参照して本発明の実施の形態について詳細に説明する。
［第１の実施の形態］
本発明の第１の実施の形態にかかる通信端末装置は、通信相手と通信を行う際、通信が可能な複数の通信ネットワークのうち、接続する通信ネットワークと通信先特定情報とを自動的に選択するものである。
本実施の形態にかかる通信端末装置１０は、図１に示すように、ネットワーク情報記憶部１１０と、通信制御部１２０と、送受信部１３０とから構成されている。
【００１４】
ネットワーク情報記憶部１１０は、通信端末装置１０によって通信を実行する際、接続する通信ネットワークと通信相手を特定する通信先特定情報とを識別するための情報であるネットワーク識別情報を記憶する。
通信制御部１２０は、通信端末装置１０のユーザによって通信相手が指定された際、ネットワーク情報記憶部１１０に記憶されているネットワーク識別情報に基づいて、通信端末装置１０が使用可能な異なる通信ネットワークのうち１の通信ネットワークを選択し、この選択した通信ネットワークに対応する通信先特定情報を選択する。
送受信部１３０は、通信制御部１２０によって選択された通信ネットワークに接続し、かつ、選択された通信先特定情報によって特定される通信相手に対して通信要求を送信することにより、ユーザによって指定された通信相手との通信を通信制御部１２０によって選択された通信ネットワークを介して実行する。
【００１５】
なお、本実施の形態にかかる通信端末装置１０は、ＣＰＵ（中央演算装置）やメモリ、インターフェースからなるコンピュータにコンピュータプログラムをインストールすることによって実現され、上述した通信端末装置１０の各機能は、上記コンピュータの各種ハードウエア資源と上記コンピュータプログラム（ソフトウェア）とが協働した実現される。
【００１６】
次に、本実施の形態にかかる通信端末装置１０の動作について、図２に示すフローチャートを参照して説明する。
図２に示すように、通信端末装置１０のユーザによって通信相手が指定されると、通信制御部１２０は、ネットワーク情報記憶部１１０に記憶されているネットワーク識別情報に基づいて、接続可能な異なる通信ネットワークのうち指定された通信相手との通信に適した通信ネットワークを選択し（Ｓ１０１）、接続する通信ネットワークに対応した通信先特定情報を選択する（Ｓ１０２）。
【００１７】
送受信部１３０は、通信制御部１２０によって選択された通信ネットワークに接続し、同じく通信制御部１２０によって選択された通信先特定情報によって特定される通信相手に対して通信要求を送信することで、ユーザによって指定された通信相手との通信を開始する（Ｓ１０３）。すなわち、送受信制御部１３０は、通信制御部１２０によって選択された通信ネットワークを介して、ユーザが指定した通信相手（通信先特定情報によって特定される通信先）との通信を行う。
【００１８】
このように、本実施の形態にかかる通信端末装置によれば、ネットワーク識別情報に基づいてユーザによって指定された通信相手との通信に適した通信ネットワークを選択するとともに、この選択した通信ネットワークに対応する通信先特定情報を選択することにより、通信端末装置の状況に応じて最適な通信ネットワークと通信先特定情報とを使用した通信を実現することができる。
【００１９】
［第２の実施の形態］
本発明の第２の実施の形態にかかる通信端末装置は、通信が可能な複数の通信ネットワークのうち、接続する通信ネットワークと通信相手を特定する通信先特定情報とを自動的に選択するものであり、特に、無線通信によって通信ネットワークを介して通信相手との通信を行うものである。
なお、本実施の形態にかかる通信端末装置の構成要素のうち、第１の実施の形態において説明した通信端末装置１０の構成要素と同一の構成および機能を有するものには、同一の符号を付し、詳細な説明は省略する。
【００２０】
本実施の形態にかかる通信端末装置２０は、図３に示すように、ネットワーク識別情報を記憶するネットワーク記憶部１１０と、通信制御部２２０と、無線送受信部２３０と、画面表示部２４０と、キー入力部２５０とから構成される。
【００２１】
通信制御部２２０は、ネットワーク記憶部１１０に記憶されるネットワーク識別情報に基づいて、使用可能な複数の通信ネットワークのうち接続する通信ネットワークを判定するとともに、通信相手を特定する通信先特定情報を識別する。
ここで、ネットワーク識別情報は、接続する通信ネットワークの判定と通信相手を特定する通信先特定情報を識別するための情報であって、例えば、通信端末装置２０によって発信された電話番号やその際に使用した通信ネットワークを記憶した発信履歴情報や通信端末装置２０に着信した電話番号やその際に使用された通信ネットワークを記憶した着信履歴情報といった通信履歴情報、通信端末装置２０の存在位置における通信可能な通信ネットワークの種別を示す情報、通信端末装置２０の記憶装置に記憶されている通信先特定情報といった通信の制御に利用される複数の情報とすることができる。
【００２２】
無線送受信部２３０は、通信制御部２２０によって判定された通信ネットワークに接続して、同じく通信制御部２２０によって識別された通信先特定情報によって特定される通信相手に対して通信要求を送信することで通信相手との通信を無線通信によって行う。
キー入力部２４０は、通信端末装置２０に設けられた各種キーからの入力をキー入力信号へ変換して通信制御部２２０へ出力する。
画面表示部２５０は、キー入力部２４０によって入力された情報や通信相手の情報など、通信制御部２２０から出力される表示信号を表示する。
【００２３】
また、本実施の形態にかかる通信端末装置２０を含んだネットワーク構成の一例を図４に示す。
本実施の形態にかかる通信端末装置２０は、無線ＬＡＮ（以後、「Ｗ−ＬＡＮ」とする。）による通信機能と携帯電話機による通信機能とを備えた通信端末装置とすることができる。
この通信端末装置２０の通信機能の１つであるＷ−ＬＡＮによる通信機能は、例えば、Ｗ−ＬＡＮに対応したＰＢＸシステムに収容される通信端末装置としての通信機能とすることができ、一方、携帯電話機による通信機能は、いわゆる第３世代（以後「３Ｇ」とする。）携帯電話機としての通信機能とすることができる。
【００２４】
本実施の形態にかかる通信端末装置２０は、図４に示すように、Ｗ−ＬＡＮによって基地局＜Ａ＞３０を介して公衆回線網などのGlobal Network５０や社内回線網などのLocal Network６０のいずれかと接続して通信相手である通信端末装置７０との通信を実現する一方、携帯電話機能により基地局＜Ｂ＞４０を介して携帯電話回線網（Global Network５０）に接続して通信相手の通信端末７０との通信を実現する。
なお、本実施の形態にかかる通信端末装置２０は、ＣＰＵ（中央演算装置）やメモリ、インターフェースからなるコンピュータにコンピュータプログラムをインストールすることによって実現され、上述した通信端末装置２０の各機能は、上記コンピュータの各種ハードウエア資源と上記コンピュータプログラム（ソフトウェア）とが協働した実現される。
【００２５】
次に、本実施の形態にかかる通信端末装置２０の動作について、図５〜図７に示すフローチャートを参照して説明する。
図５に示すように、ユーザによって通信端末装置２０のキー入力部２４０の操作等により通信相手先である通信端末７０の電話番号が入力され（Ｓ２１１）、この電話番号に対して発信動作がなされると（Ｓ２１２）、通信制御部２２０は、ネットワーク情報記憶部１１０に記憶されているネットワーク識別情報に基づいて、基地局＜Ａ＞３０に接続可能か否か、すなわち、Ｗ−ＬＡＮによる通信が可能か否かを判定する（Ｓ２１３）。
【００２６】
基地局＜Ａ＞３０に接続可能である場合（Ｓ２１３で「YES」）、通信制御部２２０は、Ｗ−ＬＡＮによって基地局＜Ａ＞３０を介した通信を実行するための発信処理Ａを実行する（Ｓ２１４）。
基地局＜Ａ＞３０に接続不可である場合（Ｓ２１３で「NO」）、通信制御部２２０は、基地局＜Ｂ＞４０に接続可能か否か、すなわち、携帯電話機能による通信が可能か否かをネットワーク識別情報に基づいて判定する（Ｓ２１５）。
【００２７】
基地局＜Ｂ＞４０に接続可能である場合（Ｓ２１５で「YES」）、通信制御部２２０は、携帯電話機能によって基地局＜Ｂ＞４０を介した通信を実行するための発信処理Ｂを実行する（Ｓ２１６）。
一方、基地局＜Ｂ＞４０に接続不可であった場合（Ｓ２１５で「NO」）、通信端末装置２０が接続可能な通信ネットワークが存在しないため、通信制御部２２０は、ユーザに対して通信不可状態である旨を通知し（Ｓ２１７）、処理を終了する。
ユーザに対する通知動作には、例えば、画面表示部２５０に「ネットワークに接続できません」「圏外です」といったメッセージを表示したり、音声による案内を行うなどしても良い。
【００２８】
ここで、通信制御部２２０による接続先の基地局の判定動作について、説明する。
一般的に、図４に示すようなネットワーク構成では、Ｗ−ＬＡＮによって基地局＜Ａ＞３０を介した通信（特にLocal Network６０を使用した通信）と、携帯電話機能によって基地局＜Ｂ＞４０を介してGlobal Network５０を使用する通信とを比較すると、Ｗ−ＬＡＮによって基地局＜Ａ＞３０を介した通信の方が発生する通信コストが少ない。
よって、本実施の形態においては、Ｗ−ＬＡＮによって基地局＜Ａ＞３０を介した通信を優先的に実行するよう、接続先の基地局の判定を行うものである。
【００２９】
次に、基地局＜Ａ＞３０との接続が可能である場合の発信処理Ａを図６を参照して、基地局＜Ａ＞３０との接続が不可であって基地局＜Ｂ＞４０との接続が可能である場合の発信処理Ｂを図７を参照して説明する。
【００３０】
図６に示すように、通信制御部２２０による接続先の基地局の判定結果が基地局＜Ａ＞３０であると、通信端末装置２０は発信処理Ａを開始する（Ｓ２２１）。
通信制御部２２０は、ユーザによって入力された通信端末７０の電話番号がLocal Network用の電話番号であるか否かを識別する（Ｓ２２２）。ここで、Local Network用の電話番号とは、例えば、図４に示すような基地局＜Ａ＞３０に対応するＰＢＸシステムに収容されている通信端末間による通信を可能とする内線通信用の電話番号とすることができる。
【００３１】
入力された電話番号がLocal Network用の電話番号であった場合（Ｓ２２２で「YES」）、無線送受信部２３０は、Ｗ−ＬＡＮによって基地局＜Ａ＞３０を介してLocal Network６０に接続し、ユーザによって入力された通信端末７０の電話番号に基づいて発信し、通信端末７０との通信を開始する（Ｓ２２３）。
【００３２】
一方、入力された電話番号がLocal Network用の電話番号ではなかった場合（Ｓ２２２で「NO」）、通信制御部２２０は、入力された電話番号に対応するLocal Network用の電話番号が通信端末装置２０に記憶されているか否かをネットワーク識別情報に基づいて判定する（Ｓ２２４）。
【００３３】
Local Network用の電話番号が記憶されている場合（Ｓ２２４で「YES」）、通信制御部２２０はユーザによって入力された電話番号に対応するLocal Network用の電話番号、すなわち通信端末７０のLocal Network用の電話番号を選択し（Ｓ２２５）、無線送受信部２３０によって基地局＜Ａ＞３０を介してLocal Network６０に接続した通信端末７０との通信が開始される（Ｓ２２３）。
【００３４】
一方、Local Network用の電話番号が記憶されていない場合（Ｓ２２４で「NO」）、無線送受信部２３０は、Ｗ−ＬＡＮによって基地局＜Ａ＞３０を介してGlobal Network５０に接続し、ユーザによって入力された電話番号、すなわち、Global Network用の通信端末７０の電話番号に基づいて発信し、通信端末７０との通信を開始する（Ｓ２２６）。
ここで、無線送受信部２３０は、基地局＜Ａ＞を介してGlobal Network５０へ接続する場合、必要に応じて信号を付加する（電話番号の先頭に「０」を付加する）などして通信を行うことができる。
【００３５】
次に、発信処理Ｂの動作について説明する。
図７に示すように、通信制御部２２０による接続先の基地局の判定結果が基地局＜Ｂ＞４０であると、通信端末装置２０は発信処理Ｂを開始する（Ｓ２３１）。
通信制御部２２０は、ユーザによって入力された通信相手先である通信端末７０の電話番号がGlobal Network用の電話番号であるか否かを識別する（Ｓ２３２）。
【００３６】
入力された電話番号がGloval Network用の電話番号であった場合（Ｓ２３２で「YES」）、無線送受信部２３０は、携帯電話機の通信機能によって基地局＜Ｂ＞４０を介してGloval Netowak５０に接続し、通信端末７０のGlobal Network用の電話番号に基づいて発信し、通信端末７０との通信を開始する（Ｓ２３３）。
【００３７】
一方、入力された電話番号がGlobal Network用の電話番号ではなかった場合（Ｓ２３２で「NO」）、通信制御部２２０は、入力された電話番号に対応するGloval Network用の電話番号、すなわち、通信端末７０のGloval Netowak用の電話番号が、通信端末装置２０に記憶されているか否かをネットワーク識別情報に基づいて判定する（Ｓ２３４）。
【００３８】
Gloval Network用の電話番号が記憶されている場合（Ｓ２３４で「YES」）、通信制御部２２０は、通信端末７０のGloval Network用の電話番号を選択し（Ｓ２３５）、無線送受信部２３０によって基地局＜Ｂ＞４０を介してGloval Netowak５０に接続して通信端末７０のGloval Network用の電話番号に基づいて発信し、通信端末７０との通信が開始される（Ｓ２３３）。
このとき、通信制御部２２０は、Gloval Netowak５０に接続して通信を開始する旨を画面表示部２５０に表示するなどしてユーザに通知することとしても良い。さらに、画面表示とともにキー入力部２４０からの操作によってGloval Netowak５０に接続して通信を開始するか否かをユーザに選択させるようにしても良い。
【００３９】
一方、Local Network用の電話番号が記憶されていない場合（Ｓ２２４で「NO」）、発信可能な電話番号が存在しないため、通信制御部２２０は、ユーザに対して通信不可である旨を通知し（Ｓ２３６）、処理を終了する。
ユーザに対する通知動作には、例えば、画面表示部２５０に「使用できない電話番号です」といったメッセージを表示したり、音声による案内を行うなどしても良い。
【００４０】
このように、本実施の形態にかかる通信端末装置によれば、ネットワーク識別情報に基づいて使用する通信ネットワークを判定し、さらに、この使用する通信ネットワークに適したユーザによって入力された電話番号で特定される通信相手に対応する電話番号を選択することにより、通信端末装置の状況に応じて最適な通信ネットワークを特定することができるとともに、この通信ネットワークに適した電話番号を使用した通信を実現することができる。
したがって、ユーザは通信相手の電話番号を意識することなく、安価な通信経路や手段による通信相手との通信を行うことができる。
【産業上の利用可能性】
【００４１】
携帯電話機、ＰＨＳ(Personal Handyphone System)、ＰＤＡ(Personal Data Assistance，Personal Digital Assistants：個人向け携帯型情報通信機器)といった携帯端末装置の通信機能に利用できる。
【符号の説明】
【００４２】
１０，２０…通信端末装置、１１０…ネットワーク情報記憶部、１２０，２２０…通信制御部、１３０…送受信部、２３０…無線送受信部、２４０…キー入力部、２５０…画面表示部、３０…基地局＜Ａ＞、４０…基地局＜Ｂ＞、５０…Global Network(公衆回線網や携帯電話回線網など)、６０…Local Network(社内回線網やＬＡＮなど)、７０…通信端末。
【図１】
2011044852.tif 000003
【図２】
2011044852.tif 000004
【図３】
2011044852.tif 000005
【図４】
2011044852.tif 000006
【図５】
2011044852.tif 000007
【図６】
2011044852.tif 000008
【図７】
2011044852.tif 000009